(57)【要約】      （修正有）【課題】携行便利でバッグとカートが結合し一体となったゴルフキャディーバッグを提供する。【解決手段】容器１０は容器本体、グリップ、分離部品、上蓋、固定ベース、囲み束１６と背板１７を有する。容器本体は両側の頂縁に於いてそれぞれひとつのひっかけ部品を有し、ふたつの凹部１１２が容器本体底部に於いて形成されている。連動機構はふたつのギヤユニット２１、制御棒、ふたつのウォームギヤ２３、ふたつの支え柱２４とふたつの補助棒を有する。連動機構は、容器１０に結合される。制御棒は直線方向に於いて往復位置移動が可能で、ふたつの支え柱２４の一端は容器１０と軸接続され、支え柱２４はその制御棒２２の往復移動に沿って収め合う位置と支え広がった位置の間を動く。ふたつの車輪３０は、それぞれ支え柱２４のもう一端に於いて結合されている。【選択図】図１１
0003109654.tif 000002
【実用新案登録請求の範囲】
【請求項１】
ゴルフキャディーバッグであって、
容器を有し、
連動機構は、容器に結合され、連動機構は一本の制御棒と二つの支え柱を有し、制御棒は一直線方向に於いて往復して位置を移動可能であり、支え柱の一端は容器と回転接続され、支え柱は制御棒の往復移動に沿って収め合わさり位置と支え広がった位置との間に於いて移動可能であり、
二つの車輪は、それぞれ支え柱のもう一端に於いて結合されていることを特徴とするゴルフキャディーバッグ。
【請求項２】
連動機構は二つのウォームギヤを有し、ウォームギヤの支え柱が回転接続されている一端には一つの外歯輪を有し、ウォームギヤは制御棒に設けられ、ウォームギヤは対応する外歯輪を駆動しそれぞれ支え柱を動かすことを特徴とする請求項１記載のゴルフキャディーバッグ。
【請求項３】
容器は更に固定ベースを有し、固定ベースは軸孔を有し、制御棒は軸孔に挿入され、支え柱の一端とその固定ベースとは回転可能に接続されていることを特徴とする請求項２記載のゴルフキャディーバッグ。
【請求項４】
連動機構は二つのギヤユニットを有し、ギヤユニットは固定ベースに結合され、ウォームギヤに対応するギヤユニットはそれぞれ外歯輪と噛み合いを形成し動きを伝えることを特徴とする請求項３記載のゴルフキャディーバッグ。
【請求項５】
支え柱はそれぞれ一つの結合ベースを有し、各結合ベースは支え柱のもう一端に回転可能に接続され、連動機構は更に二つの補助棒を含み有し、補助棒の一端は固定ベースと回転可能に接続され、もう一端は結合ベースと回転可能に接続されていることを特徴とする請求項４記載のゴルフキャディーバッグ。
【請求項６】
制御棒は内管と外管とを有し、内管は握り持ち部を有し且つ内管は相対して外管から引っ張り出ていて、ウォームギヤは外管に設けられていることを特徴とする請求項５記載のゴルフキャディーバッグ。
【請求項７】
容器底部は二つの凹部を有し、二つの車輪がそれぞれ凹部に収め置かれることを特徴とする請求項１記載のゴルフキャディーバッグ。
【請求項８】
容器は容器本体と容器本体から分離可能な上蓋とを有し、容器本体は結合部を有し、分離して上蓋を掛けることが可能であることを特徴とする請求項１記載のゴルフキャディーバッグ。
【請求項９】
制御棒は内管と外管とを有し、内管は相対して外管を引っ張り出すことが可能であることを特徴とする請求項１記載のゴルフキャディーバッグ。
【考案の詳細な説明】
【技術分野】
【０００１】
本考案は、ゴルフキャディーバッグに関し、特に携行に便利なゴルフキャディーバッグに関する。
【背景技術】
【０００２】
図１に示すように、一般的な従来のゴルフキャディーバッグ１はゴルフクラブを収納する一つの容器２と外部に縫い付けられた一つのバックストラップ３を有し、使用者が肩に背負うことでゴルフキャディーバッグ１を携帯している。しかしながら、広く大きな面積のゴルフ場においては、長時間人の肩で以って背負う方式は疲労を与え重さに耐えられず、従って、ゴルフキャディーバッグを載せる一種の専用のゴルフカートが生み出された。図２に示すように、ゴルフカート４は一つのフレームボディ５上下部位の束ねバンド５ａ及び束ねバンド５ｂを利用しゴルフキャディーバッグ（図中点線表示）を固定している。また二つの支えフレーム５ｃとそのフレームボディ５は連結され、支えフレーム５ｃは外に向って張り出しを呈し末端に於いてそれぞれ一つの車輪６を連結している。これにより、人は軽やかにゴルフキャディーバッグを引っ張り動かすことが可能である。
【考案の開示】
【考案が解決しようとする課題】
【０００３】
しかしながら、ゴルフキャディーバッグをゴルフカート４と結合使用或いはゴルフカート４から取り外すとき、その固定結合を取り外す動作は不便をもたらし、且つ、一般的なゴルフ愛好家は常にゴルフカート４は収め置くのに不便であり、コストを考慮するとゴルフカート４は購入せず、これにより、ゴルフカート４の応用並びに普及は進んでいない。
【０００４】
更に図３に示すように、もう一種のゴルフキャディーバッグ７は一つの容器８側面に一つの引っ張り柄８ａが結合され、二つの車輪９が容器８底部に於いて設置されている。この種の車輪を有するゴルフキャディーバッグ構造は一般的なゴルフキャディーバッグとゴルフカートが分離している欠点を改善することは可能であるが、車輪９の間の距離が小さく、全体の容器８を安定して支え持つのは難しく、従って、ゴルフキャディーバッグ７は外力が加わることや強風にあおられたときに、容易に倒れてしまう。
【０００５】
したがって本考案の目的は、使用者が携行便利なゴルフキャディーバッグを提供することにある。
【０００６】
また、本考案の次の目的は、キャディーバッグとゴルフカートが結合し一体となったゴルフキャディーバッグを提供することにある。
【課題を解決するための手段】
【０００７】
上述の目的を達成するために本考案の請求項に記載のゴルフキャディーバッグは、一つの容器を含む。
連動機構は、容器に結合され、連動機構は一つの制御棒と二つの支え柱を有する。制御棒は一つの直線方向に於いて往復位置移動が可能で、二つの支え柱の一端は容器と軸接続されていて、且つそれら二つの支え柱はその制御棒の往復移動に沿って一つの収め合う位置と一つの支え広がった位置の間を動く。二つの車輪は、それぞれ支え柱のもう一端に於いて結合されている。
【考案を実施するための最良の形態】
【０００８】
以下、本考案の実施例を図面に基づいて説明する。
図４は本考案の一実施例によるゴルフキャディーバッグを示す立体図である。
図５は本考案の一実施例によるゴルフキャディーバッグの背面を示す図である。
図６は図５と同類で、組み立てられていない背板を掲示したものである。
図７は本考案の一実施例によるゴルフキャディーバッグ連動機構の局部を示す図であり、支え柱が収め合わせ位置に位置しているのを示す。
図８は本考案の一実施例によるゴルフキャディーバッグの固定ベースの立体を示す図である。
図９は本考案の一実施例によるゴルフキャディーバッグの固定ベースの底面を示す図である。
図１０は図６と同類で、制御棒の内管を引っぱり出したところを示す図である。
図１１は本考案の一実施例によるゴルフキャディーバッグの支え柱が完全に支え広がった状態を示す図である。
図１２は本考案の一実施例によるゴルフキャディーバッグの連動機構の局部を拡大した図である。
図１３は図７と同類で、支え柱が支え広がった位置にあることを示す。
図１４は本考案の一実施例によるゴルフキャディーバッグのゴルフキャディーバッグが引っ張り動かされることを示す図である。
図１５は本考案の一実施例によるゴルフキャディーバッグのゴルフキャディーバッグが安定して地面に支えられている状態を示す図である。
【０００９】
図４から図７に示すように、本考案の一実施例によるゴルフキャディーバッグ１００は、その組成は以下のものを含み有する。
容器１０を有する。一つの容器本体１１、一つのグリップ１２、一つの分離部品１３、一つの上蓋１４、一つの固定ベース１５、一つの囲み束１６と一つの背板１７を有する。容器本体１１は両側の頂縁に於いてそれぞれ一つのひっかけ部品１１１を有し、二つの凹部１１２が容器本体１１底部に於いて形成されている（図１１参照）
【００１０】
グリップ１２は容器本体１１正面に於いて固定接続される。
分離部品１３は容器本体１１頂部に於いて装着され、ゴルフクラブと区分するために用いられる。
【００１１】
上蓋１４は二つの挿入部１４１と一つの凹み溝１４２を有し、上蓋１４は挿入部１４１に対応したひっかけ部品１１１とお互いにかぎ合わさっていて、容器本体１１と安定して結合する。
【００１２】
固定ベース１５は容器本体１１背面に於いて固定接続されている。図８、図９に示すように、固定ベース１５は一つの本体１５１、一つの軸孔１５２、二つの滑り溝１５３、二つの収容部１５４と二組の対応して設置された多数の挿入孔１５５から挿入孔１５９を有する。軸孔１５２は本体１５１を貫き、二つの滑り溝１５３は軸孔１５２内の壁面がくぼんで形成され、挿入孔１５５から挿入孔１５９は本体１５１側面に於いて分布し且つ収容部１５４と繋がっている。
【００１３】
囲み束１６は容器本体１１背面に於いて固定接続さる。
背板１７は容器本体１１背面に於いて結合されて固定ベース１５を遮蔽し、背板１７の一つの側面は凸ブロック１７１から構成される一つの結合部を有する。図１１に示すように、凸ブロック１７１は容器本体１１から分離可能な上蓋１４の凹み溝１４２と組み合わさり、上蓋１４を収め置くのに便利である。（図１５参照）。
【００１４】
一つの連動機構２０は二つのギヤユニット２１、一つの制御棒２２、二つのウォームギヤ２３、二つの支え柱２４と二つの補助棒２５を有する。
ギヤユニット２１はそれぞれ固定ベース１５の各収容部１５４に於いて装着され、ギヤユニット２１は三個の二層平ギヤ２１１から二層平２１３（double  spur  gear）から組成されている。図７に示すように、二層平ギヤ２１１から二層平２１３はそれぞれ一つのピン（図中未表示）が対応する挿入孔１５５から挿入孔１５７に挿入され軸となっていて、且つ、二層平ギヤ２１１の小さいギヤ数部位と二層平ギヤ２１２の大きいギヤ数部位は噛み合っていて、二層平ギヤ２１２の小さいギヤ数部位は更に二層平ギヤ２１３の大きいギヤ数部位と噛み合っている。
【００１５】
制御棒２２は一つの内管２２１、一つのハンドル２２２、一つの押しスイッチ２２３と一つの外管２２４を有する。内管２２１はその囲み束１６に挿入され、且つ内管２２１頂部はそのハンドル２２２に接続され設けられ、使用者が手で接触し握り持つのに便利な構成となっている。押しスイッチ２２３はハンドル２２２頂面に於いて設けられ、外管２２４は軸孔１５２を貫き、外管２２４頂部位置には一つのストッパーリング２２５が被せ設けられている。図６に示すように、その内管２２１の大部分の管部分は外管２２４中に於いて収められ、ハンドル２２２は囲み束１６部位に近づいて位置している。押しスイッチ２２３の作用については後述する。
【００１６】
二つのウォームギヤ２３は外管２２４表面に於いて横向きを呈し、且つそれぞれ滑り溝１５３部位に対応して固定接続されていて、それぞれのそのウォームギヤ２３はそれぞれ二層平ギヤ２１１の大きいギヤ数部位と噛み合っている。
【００１７】
二つの支え柱２４はそれぞれ棒ボディ２４１、外歯輪２４２と一つの結合ベース２４３を有する。棒ボディ２４１の一端には外歯輪２４２が設けられ、且つその端に於いては一つの軸孔２４４を有する。軸孔２４４は一つのピン（図中未表示）を提供し挿入孔１５８に於いて挿入し、固定ベース１５と結合される。同時に、外歯輪２４２と二層平ギヤ２１３の小さいギヤ数部位は噛み合い、結合ベース２４３は棒ボディ２４１のもう一つの端に於いて軸接続されている。
【００１８】
二つの補助棒２５の一端は一つの接合孔２５１を有し、一つのピン（図中未表示）が挿入孔１５９に挿入されて固定ベース１５と軸接続されていて、補助棒２５のもう一端は、結合ベース２４３と軸接続されている。
【００１９】
二つの車輪３０は、結合ベース２４３に於いて結合され、且つ車輪３０は通常凹部１１２に於いて収め置かれる。
【００２０】
以上が本考案の実施例のゴルフキャディーバッグ１００の各部品及びその相関位置の説明であり、ここにその使用を下の如く述べる。
【００２１】
まず図６に示すように本考案の実施例によるゴルフキャディーバッグ１００の制御棒２２はまだ引っ張り出されていない状態であり、この時それら二つの車輪３０は容器本体１１に近づいている。
【００２２】
次に、図１０に示すように、人の手部がハンドル２２２を握り押しスイッチ２２３を押した後、内管２２１を相対する外管２２４から一定の距離を引っ張り出す。この時のそれら二つの車輪３０は容器本体１１に近づいた状態を維持している。
【００２３】
図１１から図１３は人が連続して外に引っ張り出す動作を示す。連帯して外管２２４を引っ張り動かし、そのまま外管２２４のストッパーリング２２５と囲み束１６が接触して止まり、外管２２４の移動過程に於いて、外管２２４表面の二つのウォームギヤ２３は対応するギヤユニット２１を通過し対応する外歯輪２４２と相噛みあう関係となる。二つの棒ボディ２４１が車輪３０を図６に示す収め合う位置P１から、外に向って図１１に示すように支え広がった位置P２へ動かし、同時に、二つの車輪３０は二つの補助棒２５に於いて制限を受け結合ベース２４３の回転の関係を牽制し、車輪３０に地面と直立している状態（図１４参照）を維持させ、人が軽々とゴルフキャディーバッグ１００を引っ張り動かすのに於いて便利である。
【００２４】
一方、人がハンドル２２２を下向きに押した場合、内管２２１と外管２２４は図６に示す状態に戻り、同時に二つの車輪３０は再び容器本体１１の凹部１１２に於いて収められる。
【００２５】
これにより、上述から知ることができるように、本考案のゴルフキャディーバッグ１００はキャディーバッグとゴルフカートを結合させ一体としたものであり、使用者が携行するのに便利なだけでなく、更に二つの車輪３０と容器本体１１底部が同時に地面に触れ三点による支持を形成するため（図１５参照）、ゴルフキャディーバッグ１００を安定して立てるのに便利なのである。
【００２６】
以上述べさせていただいたところは、僅かに本考案の比較的優れた実施可能例にすぎず、故に本考案説明書及び特許申請範囲の定めるところを応用した同様の効果の変化は、本考案の特許範囲内に含まれる。
【図面の簡単な説明】
【００２７】
【図１】一般的なゴルフキャディーバッグを示す図である。
【図２】一般的にゴルフキャディーバッグを載せて使用するゴルフカートを示す図である。
【図３】一般的に底部に車輪を有するゴルフキャディーバッグを示す図である。
【図４】本考案の一実施例によるゴルフキャディーバッグを示す立体図である。
【図５】本考案の一実施例によるゴルフキャディーバッグの背面を示す図である。
【図６】図５と同類で、組み立てられていない背板を示したものである。
【図７】本考案の一実施例によるゴルフキャディーバッグ連動機構の局部を示す図であり、支え柱が収め合わせ位置に位置しているのを示す。
【図８】本考案の一実施例によるゴルフキャディーバッグの固定ベースの立体を示す図である。
【図９】本考案の一実施例によるゴルフキャディーバッグの固定ベースの底面を示す図である。
【図１０】図６と同類で、制御棒の内管を引っぱり出したところを示す図である。
【図１１】本考案の一実施例によるゴルフキャディーバッグの支え柱が完全に支え広がった状態を示す図である。
【図１２】本考案の一実施例によるゴルフキャディーバッグの連動機構の局部を拡大した図である。
【図１３】図７と同類で、支え柱が支え広がった位置にあることを示す。
【図１４】本考案の一実施例によるゴルフキャディーバッグのゴルフキャディーバッグが引っ張り動かされることを示す図である。
【図１５】本考案の一実施例によるゴルフキャディーバッグのゴルフキャディーバッグが安定して地面に支えられている状態を示す図である。
【符号の説明】
【００２８】
１００  ゴルフキャディーバッグ、１１  容器本体、１２  グリップ、１３  分離部品、１４  上蓋、１５  固定ベース、１６  囲み束、１７  背板、２０  連動機構、２１  ギヤユニット、２２  制御棒、２３  ウォームギヤ、２４  支え柱、２５  補助棒、３０  車輪、１１１  ひっかけ部品、１１２  凹部、１４１  挿入部、１４２  凹み溝、１５１  本体、１５２  軸孔、１５３  滑り溝、１５４  収容部、１５５  挿入孔、１５６  挿入孔、１５７  挿入孔、１５８  挿入孔、１５９  挿入孔、１７１  凸ブロック、２１１  二層平ギヤ、２１２  二層平ギヤ、２１３  二層平ギヤ、２２１  内管、２２２  ハンドル、２２３  押しスイッチ、２２４  外管、２２５  ストッパーリング、２４１  棒ボディ、２４２  外歯輪、２４３  結合ベース、２４４  軸孔、２５１  接合孔、P１  収め合う位置、P２  支え広がった位置
【図１】
0003109654.tif 000003
【図２】
0003109654.tif 000004
【図３】
0003109654.tif 000005
【図４】
0003109654.tif 000006
【図５】
0003109654.tif 000007
【図６】
0003109654.tif 000008
【図７】
0003109654.tif 000009
【図８】
0003109654.tif 000010
【図９】
0003109654.tif 000011
【図１０】
0003109654.tif 000012
【図１１】
0003109654.tif 000013
【図１２】
0003109654.tif 000014
【図１３】
0003109654.tif 000015
【図１４】
0003109654.tif 000016
【図１５】
0003109654.tif 000017